(57)【要約】【課題】  フィルタ特性にバラツキがある場合にも、操作性良く、適切な色相コントラストで蛍光観察ができる内視鏡システムを提供する。【解決手段】  光源装置５は励起光透過フィルタ１５を経てライトガイド１１に青色の励起光を供給し、照明レンズ１７を経て体腔２内の生体組織に照射する。生体組織側からの反射光と蛍光は対物レンズ１８によりイメージガイド１９の先端面に結像され、その後端面からカットフィルタ２１を経て術者９により裸眼で観察される。術者９は、観察しながら、アイピース２３を回転することにより、そのカットフィルタ２１のフィルタ面の傾き角が変化し、フィルタ特性をシフトして、適切な色相コントラストで蛍光観察ができる状態に設定できる。【選択図】  図１
2006334245.tif 000002
【特許請求の範囲】
【請求項１】
少なくとも励起光を含む可視光波長領域の光を発生する光源手段と、
前記光源手段からの前記可視光波長領域における前記励起光を透過する励起光透過フィルタと、
前記励起光が照射された被写体側からの光により、被写体の光学像を観察可能とする内視鏡と、
前記内視鏡に設けられ、前記励起光の殆どをカットするカットフィルタと、
を備えた内視鏡システムにおいて、
前記内視鏡に設けられた前記カットフィルタの角度を調整可能とする角度調整機構を具備したことを特徴とする内視鏡システム。
【請求項２】
前記角度調整機構は、前記内視鏡の接眼部付近に設けてあることを特徴とする請求項１に記載の内視鏡システム。
【請求項３】
前記励起光透過フィルタを前記内視鏡の照射光伝送経路内に設けたことを特徴とする請求項１に記載の内視鏡システム。
【請求項４】
前記励起光透過フィルタは、青色の波長帯域の励起光を透過する青色透過フィルタであり、前記カットフィルタは赤色の波長帯域の蛍光を透過するフィルタ特性を有することを特徴とする請求項１に記載の内視鏡システム。
【発明の詳細な説明】
【技術分野】
【０００１】
本発明は、体腔内において励起光を用いて蛍光観察を行う内視鏡システムに関する。
【背景技術】
【０００２】
従来、内視鏡システムでは、可視光を用いた通常の内視鏡観察に加え、励起光を照射して蛍光観察を行うものがある。そして蛍光観察の中には、ＰＤＤ（Ｐｈｏｔｏｄｙｎａｍｉｃ  Ｄｉａｇｎｏｓｉｓ）と呼ばれ、薬剤投与により腫瘍部分のみに蛍光物質を蓄積させておき、励起光を照射して腫瘍を蛍光させて診断する方法がある。  
ＰＤＤは青色の励起光を照射すると赤く蛍光する。このため、光源装置側で青色の励起光を出射するように青色を透過する励起光透過フィルタとしてのバンドパルフィルタを配置して、このバンドパスフィルタを透過した光を内視鏡のライトガイドに入射させるようにする。  
この場合、蛍光は励起光に比べて微弱のため、蛍光画像を得るためには、受光側で励起光をカットし、蛍光を透過する必要があり、カットフィルタが用いられる。但し、カットフィルタにより励起光を完全にカットすると、蛍光部以外の生体状態が見えなくなる。
【０００３】
そのため受光側では、蛍光とのバランスをとりながら一定レベルの励起光を透過させるように青色の背景用の照明光を作る必要がある。このため、カットフィルタにより励起光としての青色の照明光の一部を透過させるようにしている。  
この青色の照明光に対する透過光量が一定でないと、蛍光部との色相のコントラストが悪くなり、腫瘍判別に影響がでる。しかし、フィルタの波長はバラツキが多く、２つのフィルタの組合せによる光透過の重なり部で作る背景用の照明光を一定するのが難しいという問題があった。  
そこで独国特許ＤＥ１９９０２１８４号に開示されているように、光源装置側のバンドパスフィルタ（励起光透過フィルタ）の角度を調整することにより、出射光の波長を一定にするということが行われていた。
【特許文献１】独国特許ＤＥ１９９０２１８４号
【発明の開示】
【発明が解決しようとする課題】
【０００４】
しかし独国特許ＤＥ１９９０２１８４号のように、光源装置側で励起光透過フィルタの角度調整を行う構成の場合、１台の光源装置に対して複数の内視鏡を使用する場合、各内視鏡毎にカットフィルタに特性上のバラツキがあるため、内視鏡と組み合わせて使用する場合、各内視鏡毎に光源装置側の励起光透過フィルタの角度調節が必要になる。  
このような場合、術者は、内視鏡の接眼部から蛍光観察を行うため、光源装置側の励起光透過フィルタの調整を行うことが面倒な作業になってしまう。
【０００５】
（発明の目的）
本発明は上述した問題に対して、光源装置側での励起光透過フィルタの角度調整の作業を必要としないで、フィルタ特性にバラツキがある場合にも、操作性良く適切な色相コントラストで蛍光観察ができる内視鏡システムを提供することを目的とする。
【課題を解決するための手段】
【０００６】
本発明は、少なくとも励起光を含む可視光波長領域の光を発生する光源手段と、
前記光源手段からの前記可視光波長領域における前記励起光を透過する励起光透過フィルタと、
前記励起光が照射された被写体側からの光により、被写体の光学像を観察可能とする内視鏡と、
前記内視鏡に設けられ、前記励起光の殆どをカットするカットフィルタと、
を備えた内視鏡システムにおいて、
前記内視鏡に設けられた前記カットフィルタの角度を調整可能とする角度調整機構を具備したことを特徴とする。  
上記構成により、光源装置側の励起光透過フィルタの角度調整無しに、照明光のバラツキによる色合い変化を一定にして、色相コントラストのある蛍光観察ができることが可能となる。
【発明の効果】
【０００７】
本発明によれば、光源装置側での励起光透過フィルタの角度調整無しに、照明光のバラツキによる色合いの変動を抑え、適切な色相コントラストで蛍光観察ができる。
【発明を実施するための最良の形態】
【０００８】
以下、図面を参照して本発明の実施例を説明する。  
【実施例１】
【０００９】
図１から図４は本発明の実施例１に係り、図１は本発明の実施例１の内視鏡システムの構成を示し、図２は内視鏡の接眼部の構成を示し、図３は光源装置内に配置したバンドパスフィルタ及び内視鏡に設けた励起光をカットするカットフィルタの分光透過率特性を示し、図４は変形例における接眼部付近の構成を示す。  
まず、本実施例の構成を説明する。図１に示すように実施例１の内視鏡システム１は、体腔２内に挿入され、体腔内の患部等の被写体を内視鏡観察或いは内視鏡検査を行う内視鏡３と、青色光〜可視光までの照明光をライトガイドケーブル４を介して内視鏡３に供給する光源装置５とを有する。  
内視鏡３は、体腔内に挿入される細長の挿入部６と、この挿入部６の後端に設けられ、術者９より把持される操作部（或いは把持部）７と、この操作部７の後端に設けられ、術者９より肉眼観察される接眼部８とを有する。
【００１０】
また、挿入部６内には照明光を伝送するライトガイド１１が挿通され、このライトガイド１１は操作部７のライトガイド口金部１２においてライトガイド４ａが挿通されたライトガイドケーブル４と接続され、このライトガイドケーブル４の後端のライトガイドコネクタ１３は光源装置５に着脱自在で接続される。  
光源装置５内には、可視光の波長領域をカバーするほぼ白色光の照明光を発生するキセノンランプ等のランプ１４が設けてあり、このランプ１４で発生された照明光はその照明光路上に設けられ、ＰＤＤ励起波長を透過し、角度調整可能な長波長側をカットオフするハイパスフィルタ或いはバンドパスフィルタからなる励起光透過フィルタ１５に入射される。
【００１１】
また、この励起光透過フィルタ１５を透過した光は、照明光を集光する為の集光レンズ１６を経てライトガイドコネクタ１３のライトガイド４ａの端面に入射される。  
励起光透過フィルタ１５の分光透過特性は、図３に示すように短波長、より具体的には青色の短波長側の励起光を透過し、青色の長波長側付近、具体的には４５０ｎｍ付近で透過光を制限（カットオフ）する帯域制限特性（ハイパスフィルタ特性）を有している。なお、励起光の波長帯域よりも短波長側は透過させる必要は無く、破線で示すその短波長側もカットオフするバンドパスフィルタ特性を有するようにしても良い。
【００１２】
この光源装置５からライトガイドケーブル４のライトガイド４ａに入射された照明光は、内視鏡３内のライトガイド１１に入射され、このライトガイド１１によりその先端面に伝送され、さらにこの先端面に対向する照明窓に取り付けられた照明レンズ１７を経て被写体側に照射される。  
被写体に照射された照明光は、その一部が反射された反射光となると共に、蛍光物質を励起する励起光となり、その励起光により蛍光が発生する。本実施例では、青色の励起光により、光感受性物質を励起し、赤色の波長帯域内での蛍光を発生する。図３に示すようにこの蛍光２５は、ほぼ６３０ｎｍの波長でその強度がピークとなる。
【００１３】
挿入部６の先端部には、照明窓に隣接して観察窓が設けてあり、その観察窓には対物レンズ１８が取り付けてある。また、この対物レンズ１８の結像位置には、イメージガイド１９の先端面が配置されている。
【００１４】
このイメージガイド１９の先端面には、被写体の光学像が結像され、この光学像はイメージガイド１９の後端面に伝送される。図２に示すようにこのイメージガイド１９の後端面は、接眼部８の付近に配置されている。この後端面に対向して、励起光をカットするカットフィルタ２１がそのフィルタ面の角度を調整する角度調整機構２２を介して設けてある。  
そして、イメージガイド１９の後端面に伝送された光学像は、このカットフィルタ２１を経て、接眼部８に回転自在に取り付けられたアイピース２３の接眼窓に取り付けた接眼レンズ２４を経て、術者９は、観察を行うことができる。  
このカットフィルタ２１の分光透過特性は、図３に示すように蛍光物質が発生する蛍光２５の波長領域を含む赤側の長波長側を透過し、この赤側よりも短波長側の青色付近でカットオフする透過特性を有する。  
また、このカットフィルタ２１によるカットオフする波長領域においては、光源装置５に設けた励起光透過フィルタ１５と透過波長域が一部重なる重なり部が形成されるように設定されている。この重なり部により蛍光２５の背景用の照明光２６の機能を持つようにしている。この波長は、例えば４５０ｎｍ付近でピークを持つ。
【００１５】
そして、本実施例では図２に示すように接眼部８に設けた角度調整機構２２によりカットフィルタ２１のフィルタ面をイメージガイド１９の光軸（中心軸）と直交する状態から傾けるようにその角度を（９０°の角度状態から）可変調整することができるようにしている。  
そしてフィルタ面の角度を調整することにより、干渉を利用した干渉フィルタにより形成されたカットフィルタ２１によるカットオフ特性を変更することができるようにしている。  
つまりフィルタ面の角度を調整することにより、図３に示すように実線で示す状態から点線で示すようなカットオフ特性に変更することができるようにしている。
【００１６】
次に図２を参照して、内視鏡３の接眼部８に設けた角度調整機構２２の構造を具体的に説明する。  
イメージガイド１９の後端付近は、接眼部８内の外装部材に固定され、このイメージガイド１９の後端面に対向して、フィルタ枠２７に取り付けられたカットフィルタ２１が配置され、さらにこのカットフィルタ２１の後方側のネジ部２８に螺着されたアイピース２３に取り付けられた接眼レンズ２４が対向している。  
フィルタ枠２７は、このフィルタ枠２７の前面に配置した付勢手段としての例えばリングバネ２９の弾性力により後方側に押圧されている。このフィルタ枠２７の後面側には、例えば上部位置にはストッパとしての機能を持つ凸部３０が設けてあり、この上部位置と対向する下部位置には、スライド部材３１がガイド部材３２により前後に移動するようにガイドされた状態で配置されている。
【００１７】
例えばガイド部材３２には、図２の左右方向にガイド溝が設けてあり、そのガイド溝内にスライド部材３１が嵌入されている。このスライド部材３１は例えばＬ字形状であり、その前端はフィルタ枠２７の後面に当接し、その後面はアイピース２３の前面に当接する。  
そして、アイピース２３を回転して、このアイピース２３を前方に移動すると、その際の前面でスライド部材３１を押圧して前方に移動し、フィルタ枠２７と共に、カットフィルタ２１はイメージガイド１９の端面と平行な状態から傾斜する。  
そして、その傾斜の角度に応じて、図３に示したカットフィルタ２１によるカットオフ特性が変化する。  
このような構成の本実施例においては、イメージガイド１９の後端面から出射される光は、角度調整機構２２により傾斜させることでカットフィルタ２１によるカットオフ特性を波長軸方向にシフトできるようにしていることが特徴となっている。
【００１８】
そして、術者９は、接眼部８に回転自在に取り付けられたアイピース２３の接眼レンズ２４を裸眼で覗きながら、アイピース２３を回転することにより、適切なカットオフ特性の状態に設定して蛍光観察することができるようにしている。  
つまり、図３に示すように、光源装置５の励起光透過フィルタ１５と内視鏡３のカットフィルタ２１との透過部の重なり部により、青色の背景用の照明光２６が形成されるようにして、赤い蛍光部以外の照明を行うようにしている。  
この場合、青色の背景用の照明光２６の光量が大きいと、赤い蛍光が弱まり色相コントラストが悪くなるが、逆に小さいと今度は励起光による生体組織の目家蛍光（緑〜赤色）が勝ってしまうため、組織が白っぽくなり、また色相コントラストが悪くなる。
【００１９】
よって、青色の背景用の照明光２６は、適正な一定量が望ましいが、励起光透過フィルタ１５とカットフィルタ２１ともに波長公差内でばらつくために、従来は光源装置５及び内視鏡３のフィルタ組合せにより背景用の照明光２６の光量が変動してしまうことがあった。なお蛍光観察では色相コントラストにより、微小な腫瘍検出や腫瘍切除時の取り残し確認をするために、色合いは非常に重要である。これに対して、本実施例では上記のように接眼部８に設けた角度調整機構２２により簡単に適正な色相コントラスト状態に設定できるようにしている。  
次に本実施例による作用を図２及び図３を参照して説明する。  
光源装置５からの青色の励起光（一部は反射像を得るための照明にも用いる）を内視鏡３のライトガイド１１に供給することにより、ライトガイド１１により伝送されたその励起光は挿入部６の先端部の照明レンズ１７を経て体腔２内の観察対象となる生体組織に照射される。
【００２０】
生体組織からの反射光及び蛍光は、対物レンズ１８を経てイメージガイド１９の先端面に結像され、その光学像はイメージガイド１９の後端面から後方側に出射される。この光は、術者９が接眼部８のアイピース２３に設けられた接眼レンズ２４を経て裸眼で観察することができる。  
その際に術者９は、アイピース２３を回転し、スライド部材３１をスライドさせると、カットフィルタ２１のフィルタ面の傾斜角度を変更することで、図３の破線で示すようにカットオフする波長をシフトさせ、反射光の明るさ（光量）を変更可能となる。  
このようにして青色の背景用の照明光２６の光量の増減を調整することにより、蛍光部以外の青の色合いを変更可能なので、赤い蛍光部と適切な色相コントラストのある色合いにできる。
【００２１】
術者９は、アイピース２３を回転するだけで、波長バラツキによる色合いを解消できるので、従来のように光源装置５の励起光透過フィルタ１５の角度調整が不要となる。  
また簡単に青色の色合いを調整可能なので、術者９の希望する最適な蛍光を作ることが可能となる。  
従って、本実施例は以下の効果を有する。  
以上のような構成であるので、光源装置５側の励起光透過フィルタ１５と、カットフィルタ２１とのフィルタの組合せで透過部の重なり部（クロス部）に関してバラツキがあっても、光源装置５側での励起光透過フィルタ１５の角度調整無しに接眼部８から裸眼で観察する状態のまま、操作性が良い状態で簡単に調整可能である。
【００２２】
また、１台の光源装置５に対して複数の内視鏡３で選択的に使用する場合にも、各内視鏡３の使用時における最初に調整を行うだけで、常に適切な色相コントラストのある色合い状態での観察状態を確保できるようになる。  
また手術ごとの調整を不要にできるため、手術の時間も節約（短縮）できる。  
本実施例においては、アイピース２３を回転してカットフィルタ２１の角度を調整して、そのカットオフ波長を調整する角度調整機構２２を形成したが、図４に示すようにアイピース２３以外の部分を操作してカットフィルタ２１の角度を調整して、そのカットオフ波長をシフトして適切な色相コントラストの状態に調整する角度調整機構２２Ｂを形成しても良い。  
図４は変形例における接眼部８の周辺部を示す。図４における角度調整機構２２Ｂは、イメージガイド１９の後端面に対向して配置されたカットフィルタ２１を取り付けたフィルタ枠２７の周方向における１箇所、例えば下端位置には円柱状の凸部３５が突設され、接眼部８の外装部材の内壁面に設けた凹部に嵌入され、フィルタ枠２７は、外装部材に対して回転自在に保持されている。
【００２３】
また、凸部３５と反対側の位置となるフィルタ枠２７の上部位置には、ピン３６が突設され、このピン３６は外装部材の孔を貫通して外部に露出し、摘み３７が設けてある。なお、フィルタ枠２７と外装部材の内周面との間には、フィルタ枠２７を所定量、傾斜させるに必要な空隙部が設けてある。  
そして、術者は、この摘み３７を回動することによりそのフィルタ面の角度を調整して適切な色相コントラスト状態に調整することができるようにしている。  
また、このピン３６の長手方向と途中位置の周囲には水密用及び適度の摩擦力を発生させるＯリング３８が設けてある。また、アイピース２３の前端付近の外周面にも水密用のＯリング３９が設けてある。
【００２４】
本変形例の場合にも、術者９は接眼部８から観察しながら接眼部８に設けた摘み３５を回転することにより、操作性良くカットフィルタ２１のフィルタ面の角度を調整して、適切な色相コントラストの状態に設定することができる。  
また、この場合には、アイピース２３を回転して視度調整を行うこともできる。
【実施例２】
【００２５】
次に本発明の実施例２を図５及び図６を参照して説明する。まず、本実施例の構成を説明する。  
本実施例の内視鏡システムの構成は、実施例１と類似しており、本実施例の内視鏡３Ｂは、実施例１の内視鏡３と接眼部の構造が変更されていると共に、図示しないが本実施例の光源装置では図１の光源装置５の励起光透過フィルタ１５が通常光用フィルタに変更になっている。以下、本実施例における内視鏡３Ｂの接眼部の構造を説明する。  
図５に示すように本実施例の内視鏡３Ｂでは、接眼部８Ｂ付近にライトガイド１１の口金部１２が設けてあり、またこのライトガイド１１の後端付近におけるＬ字状の屈曲部の途中に切り欠き部４１が形成され、蛍光用アイピース４２の円板面からＵ字を形成するように突出する枠部４３を挿入して装着できるようにしている。
【００２６】
この蛍光用アイピース４２は図６に示すように円板形状の蛍光用アイピース本体部４４における周方向の２箇所に励起光をカットし、蛍光を透過するカットフィルタ４５と、可視光、つまり通常光を透過する通常光フィルタ４６とが設けてある。  
また、この蛍光用アイピース本体部４４の板面から直交し、互いに対向するように平行板形状に突出する枠部４３には青色の励起光を透過する青色励起光透過フィルタとしての青色フィルタ４７と、可視光を透過する可視フィルタ４８とが設けてある。  
そして、図５に示すように切り欠き部４１に青色フィルタ４７を介挿してライトガイド１１に青色フィルタ４７が対向する状態においては、イメージガイド１９の後端面にカットフィルタ４５が対向して蛍光観察を行えるようにしている。
【００２７】
また、この状態から蛍光用アイピース４２を１８０°回転した場合には、切り欠き部４１内には可視光フィルタ４８が介挿され、この状態ではイメージガイド１９の後端面には通常光フィルタ４６が対向するように設定される。そして、可視光或いは通常光観察を行えるようにしている。  
このように本実施例においては、蛍光用アイピース４２を１８０°回転することにより、蛍光観察と通常光観察とを切り替えて行えるようにしている。  
なお、通常光フィルタ４６及び可視フィルタ４８は、どちらも波長制限はしない素ガラスを用いることができる。  
ここでフィルタ透過波長は図３のように、青色フィルタ４７は、励起光透過フィルタ１５と同様であり、またカットフィルタ４５は、カットフィルタ２１と同様の特性を有する。
【００２８】
そして、本実施例においては、蛍光観察の場合、１つの蛍光用アイピース４２に励起光を透過する青色フィルタ４７とカットフィルタ４５とを両方取り付けるようにしているため、出荷検査時に図３に示した重なり部による背景用の照明光２６の光量が最適になるように２つのフィルタ４７、５４の一方或いは両方を選択して装着すれば、光源装置５のランプ１４の発光特性が大きく変化しない場合には、その光源装置５と内視鏡３Ｂの組合せには殆ど影響しない状態にできる。これにより使用時は、全く調整しなくても、色相コントラストのよい状態で蛍光観察ができるようにしている。
【００２９】
このような構成による本実施例の作用を説明する。通常光観察を行う場合には、蛍光用アイピース４２における可視フィルタ４８を切り欠き部４１内（つまり照射光伝送光路内）に配置し、光源装置５から供給される通常光をこの可視フィルタ４８で透過させてライトガイド１１の先端面から生体組織側に照射することができる。
【００３０】
そして、生体組織で反射された光によりイメージガイド１９の先端面に結像された光学像は、その後端面からさらに通常光フィルタ４６を経て術者９は、裸眼で観察することができる。  
そして、蛍光観察を行おうとする場合には、蛍光用アイピース４２を１８０°回転することにより、図５に示すように切り欠き部４１内で、ライトガイド１１に対向するように青色フィルタ４７が配置され、かつイメージガイド１９の後端面にはカットフィルタ４５が対向するように配置される。  
そして、光源装置５からの通常光が青色フィルタ４７を介して、青色のみの励起光がライトガイド１１に伝送され、生体組織側に照射される。そして、生体組織で反射された励起光及び生体組織から発せられた蛍光は対物レンズ１８により集光されてイメージガイド１９の先端面に結像される。
【００３１】
そして、その光学像は、イメージガイド１９の後端面からカットフィルタ４５側に出射され、術者９はこのカットフィルタ４５を通して裸眼で観察することができる。  
本実施例の蛍光用アイピース４２には、青色フィルタ４７とカットフィルタ４５とが蛍光観察の場合に色相コントラストが適切となる状態で一体的に取り付けてあるので、光源装置５と内視鏡３Ｂの組み合わせに殆ど影響しないで適切な状態で蛍光観察ができる。    従って、本実施例は、以下の効果を有する。  
本実施例によれば、蛍光観察の場合に特性のバラツキが大きい２つのフィルタの組合せを予め選択し、その組み合わせで蛍光観察に使用するようにしているので、重なり部での照明光のバラツキを殆ど解消でき、光源装置側での励起光透過フィルタの角度調整も不要となる。
【００３２】
また蛍光用アイピース４２の切替だけで、術者９は簡単に蛍光像と可視光像を使い分けることが可能である。  
なお、使用する光源装置５として、ランプ１４の発光特性が異なるものでも適切に使用できるようにするために、図７に示す第１変形例の蛍光用アイピース４２Ｂのように、例えばカットフィルタ４５のフィルタ面の角度を調整できる構造にしても良い。  
図７の蛍光用アイピース４２Ｂは、カットフィルタ４５をフィルタ枠５１に取り付け、このフィルタ枠５１を蛍光用アイピース本体部４４の観察窓の内側に回動自在に取り付けている。  
また、このフィルタ枠５１には、ピン５２の下端が取り付けられ、このピン５２は蛍光用アイピース本体部４４の孔を貫通して外部に突出し、この上端には摘み５３が設けてある。そして、術者は、この摘み５３を回動操作することにより、フィルタ枠５１と共に、カットフィルタ４５のフィルタ面を傾けることができ、実施例１で説明したのと同様にカットオフ特性をシフトできるようにしている。
【００３３】
このような構成にすることにより、通常は摘み５３を操作することなく、適切な色相コントラストで蛍光観察ができる。  
また、光源装置５として通常のランプとは種類が異なる等、その発光特性が大きく異なるランプを採用したような場合においては、摘み５３を回動して適切な色相コントラストの状態に設定して蛍光観察することができる。  
また、図８にその概略を示す第２変形例の蛍光用アイピース４２Ｃのように、摘み５５の回動操作により、青色フィルタ４７側のフィルタ面の角度を調整できる構造にしても良い。なお、この青色フィルタ４７のフィルタ面を傾ける構造は、図７と同様の構造にすることで実現できる。
【００３４】
［付記］
１．励起光透過フィルタを介して励起光を出射する光源装置に接続され、前記励起光が照射された被写体側からの蛍光により、被写体の光学像を観察可能とする内視鏡において、  前記内視鏡に設けられ、前記励起光の殆どをカットするカットフィルタと、
前記カットフィルタの角度を調整可能とする角度調整機構を具備したことを特徴とする内視鏡。  
２．付記１において、前記角度調整機構は、前記内視鏡の接眼部付近に設けてあり、前記カットフィルタは、前記接眼部の接眼レンズの光軸と略直交するるフィルタ面の角度を変更することにより、カットオフする透過特性が変化する。  
３．前記励起光透過フィルタは、青色の波長帯域の励起光を透過する青色透過フィルタであり、前記カットフィルタは赤色の波長帯域の蛍光を透過するフィルタ特性を有する。
【産業上の利用可能性】
【００３５】
内視鏡の接眼部から蛍光観察を行う場合、光源装置側の励起光透過フィルタと内視鏡側のカットフィルタとの両フィルタを組み合わせた場合には、両フィルタの光透過の重なり部による光量がバラツクような場合にも、術者は接眼部からカットフィルタの角度の調整を行うことにより簡単に適正な色相コントラストが得られる状態にできる。
【図面の簡単な説明】
【００３６】
【図１】本発明の実施例１の内視鏡システムの構成図。
【図２】内視鏡の接眼部の構成を示す拡大図。
【図３】光源装置内に配置した励起光透過フィルタ及び内視鏡に設けたカットフィルタの分光透過率特性を示す特性図。
【図４】変形例における接眼部付近の構成図。
【図５】本発明の実施例２における内視鏡の接眼部付近の概略の構造を示す断面図。
【図６】蛍光用アイピースの構造を示す斜視図。
【図７】第１変形例における内視鏡の接眼部付近の概略の構造を示す断面図。
【図８】第２変形例における蛍光用アイピースの構造を示す斜視図。
【符号の説明】
【００３７】
１…内視鏡システム
３…内視鏡
５…光源装置
６…挿入部
８…接眼部
９…術者
１１…ライトガイド
１４…ランプ
１５…励起光透過フィルタ
１８…対物レンズ
１９…イメージガイド
２１…カットフィルタ
２２…角度調整機構
２３…アイピース
２５…蛍光
２６…背景用の照明光
２９…リングバネ
３１…スライド部材
【図１】
2006334245.tif 000003
【図２】
2006334245.tif 000004
【図３】
2006334245.tif 000005
【図４】
2006334245.tif 000006
【図５】
2006334245.tif 000007
【図６】
2006334245.tif 000008
【図７】
2006334245.tif 000009
【図８】
2006334245.tif 000010